(57)【要約】【課題】  全体を消しゴムで成形しつつ広い部分と細かい部分の消去を可能とし、全体形状を食品形状に模すことで面白みのある消しゴムを提供する。【解決手段】  消しゴム材料で成形された、逆円錐形状のワッフルコーン生地形状の容器本体部１０と、容器本体部１０の上面に搭載される、互いに嵌脱可能に嵌合する主トッピング部２０と副トッピング部３０を有し、主トッピング部２０が容器本体部上面に嵌合するアイスクリーム形状に構成され、副トッピング部３０がアイスクリーム形状の主トッピング部２０の表面に配設されるイチゴ形状に構成され、これら主副主トッピング部２０，３０が嵌合するとともに、アイスクリーム形状の主トッピング部２０と容器本体部１０の凹凸部が嵌合することにより、容器本体部１０と主副主トッピング部２０，３０とが組み立てられてイチゴがトッピングされたアイスクリームが盛られたワッフルコーン形状をなす構成としてある。【選択図】  図１
0003166578.tif 000002
【実用新案登録請求の範囲】
【請求項１】
消しゴム材料で成形された、容器本体部と、この容器本体部の上面に搭載されるトッピング部とを有し、
前記容器本体部の上面と前記トッピング部の下面とに、互いに嵌脱可能に嵌合する凹凸部を備え、
前記容器本体部とトッピング部の凹凸部が嵌合することにより、当該容器本体部とトッピング部とが組み立てられて所定の食品形状をなすことを特徴とする消しゴム。
【請求項２】
前記トッピング部が、前記容器本体部の上面に搭載される主トッピング部と、前記主トッピング部に嵌脱可能に嵌合する副トッピング部とからなることを特徴とする請求項１記載の消しゴム。
【請求項３】
前記容器本体部に、当該容器本体部の上面に搭載された主トッピング部に嵌合する副トッピング部と対応する位置に、トッピング露出部を形成した請求項２記載の消しゴム。
【請求項４】
前記容器本体部が逆円錐形状のワッフルコーン生地形状に成形されるとともに、
前記トッピング部がワッフルコーン形状の前記容器本体部の上面に搭載されるアイスクリーム形状に成形され、
前記容器本体部とトッピング部の凹凸部が嵌合することにより、当該容器本体部とトッピング部とが組み立てられてアイスクリームが盛られたワッフルコーン形状をなすことを特徴とする請求項１乃至３のいずれかに記載の消しゴム。
【請求項５】
前記容器本体部が逆円錐形状のワッフルコーン生地形状に成形されるとともに、
前記主トッピング部がワッフルコーン形状の前記容器本体部の上面に搭載されるアイスクリーム形状に成形され、
前記副トッピング部がアイスクリーム形状の前記主トッピング部に嵌合するフルーツ形状に成形され、
前記主トッピング部と副トッピング部が嵌合するとともに、前記容器本体部と主トッピング部の凹凸部が嵌合することにより、当該容器本体部と主トッピング部及び副トッピング部とが組み立てられてフルーツがトッピングされたアイスクリームが盛られたワッフルコーン形状をなすことを特徴とする請求項２又は３記載の消しゴム。
【請求項６】
前記フルーツ形状の副トッピング部が、イチゴ形状に成形されることを特徴とする請求項５記載の消しゴム。
【考案の詳細な説明】
【技術分野】
【０００１】
本考案は、分解・組み立てが自在な複数の構成部分からなり、広い部分と細かい部分のいずれに対する消去をも可能とするとともに、組み立てられた状態においてアイスクリーム（ソフトクリーム）が盛られたワッフルコーン等の食品形状をなす消しゴムに関する。
【背景技術】
【０００２】
一般に消しゴムは、所定の大きさに形成された直方体・長方体形状をなしている。このような従来の消しゴムにおいては、細かい部分を消去するときは、直方体形状の角や縁の部分を使用していた。
しかしながら、消しゴムは、しばらく使用すると角や縁の部分が丸くなってしまい、細かい部分を良好に消去することができなくなるという問題があった。
【０００３】
そこで、長い間にわたって細かい部分の消去を可能とした消しゴムが種々提案されておいる。
例えば、特許文献１には、あらかじめ複数の直方体形状に分割した消しゴムを、一つのケース内に収納し、それらを並べ替えることによって、常に角があるようにすることが提案されている。
【先行技術文献】
【特許文献】
【０００４】
【特許文献１】特開平１０−２８７０９４号公報
【考案の概要】
【考案が解決しようとする課題】
【０００５】
しかしながら、特許文献１に記載の消しゴムは、ケースが消しゴム以外の材料で形成されておりコスト高になるという問題があった。
また、この特許文献１記載の消しゴムを含めて、従来の消しゴムは、単なる直方体・長方体形状のもので、消しゴムがそれ以外の物品の形状、例えばアイスクリーム（ソフトクリーム）が盛られたワッフルコーン等の食品形状を模しているようなことはなく、デザイン性や面白みに欠けるという問題もあった。
【０００６】
本考案は、上記の事情にかんがみなされたものであり、全体を消しゴムで成形しながら広い部分と細かい部分の消去が可能であり、しかも、消しゴムの全体形状をアイスクリーム（ソフトクリーム）が盛られたワッフルコーン等の所定の食品形状に模すことによりデザイン性に優れた面白みのある消しゴムの提供を目的とする。
【課題を解決するための手段】
【０００７】
上記目的を達成するため、本考案の消しゴムは、消しゴム材料で成形された、容器本体部と、この容器本体部の上面に搭載されるトッピング部とを有し、前記容器本体部の上面と前記トッピング部の下面とに、互いに嵌脱可能に嵌合する凹凸部を備え、前記容器本体部とトッピング部の凹凸部が嵌合することにより、当該容器本体部とトッピング部とが組み立てられて所定の食品形状をなす構成としてある。
また、本考案の消しゴムは、前記トッピング部が、前記容器本体部の上面に搭載される主トッピング部と、前記主トッピング部に嵌脱可能に嵌合する副トッピング部とからなる構成とすることができる。
さらに、本考案の消しゴムは、前記容器本体部に、当該容器本体部の上面に搭載された主トッピング部に嵌合する副トッピング部と対応する位置に、トッピング露出部を形成した構成とすることができる。
【０００８】
そして、本考案の消しゴムは、前記容器本体部が逆円錐形状のワッフルコーン生地形状に成形されるとともに、前記トッピング部がワッフルコーン形状の前記容器本体部の上面に搭載されるアイスクリーム形状に成形され、前記容器本体部とトッピング部の凹凸部が嵌合することにより、当該容器本体部とトッピング部とが組み立てられてアイスクリームが盛られたワッフルコーン形状をなす構成とすることができる。
また、本考案の消しゴムは、前記容器本体部が逆円錐形状のワッフルコーン生地形状に成形されるとともに、前記主トッピング部がワッフルコーン形状の前記容器本体部の上面に搭載されるアイスクリーム形状に成形され、前記副トッピング部がアイスクリーム形状の前記主トッピング部に嵌合するフルーツ形状に成形され、前記主トッピング部と副トッピング部が嵌合するとともに、前記容器本体部と主トッピング部の凹凸部が嵌合することにより、当該容器本体部と主トッピング部及び副トッピング部とが組み立てられてフルーツがトッピングされたアイスクリームが盛られたワッフルコーン形状をなす構成とすることができる。
さらに、本考案の消しゴムは、前記フルーツ形状の副トッピング部が、イチゴ形状に成形される構成とすることができる。
【０００９】
以上のような構成からなる本考案の消しゴムによれば、ワッフルコーン形状等の食品形状を模した分解・組み立てが自在な複数の構成部分によって、広い部分と細かい部分のいずれに対する消去が可能となり、例えば逆円錐形状のワッフルコーン容器本体部の幅広部分により広い範囲の消去を行い、細かい部分はワッフルコーンの逆円錐形の先端部分や、分解した容器本体部やトッピング部の縁部等を利用して消去を行うことが可能となる。
そして、本考案によれば、消しゴム全体の形状を、アイスクリーム（ソフトクリーム）が盛られたワッフルコーンなどの所定の食品形状を模した形状としており、従来の単なる直方体・長方体のみからなる消しゴムと比較して、デザイン性に優れた面白みのある消しゴムを提供することができる。
【考案の効果】
【００１０】
本考案によれば、全体を消しゴムで成形しながら広い部分と細かい部分の消去が可能であり、しかも、消しゴムの全体形状をアイスクリーム（ソフトクリーム）が盛られたワッフルコーン等の所定の食品形状に模すことによりデザイン性に優れた面白みのある消しゴムの提供が可能となる。
【図面の簡単な説明】
【００１１】
【図１】本考案の一実施形態に係るワッフルコーンを模した消しゴムの組み立て状態の外観斜視図である。
【図２】本考案の一実施形態に係るワッフルコーンを模した消しゴムの分解状態の外観斜視図である。
【考案を実施するための最良の形態】
【００１２】
以下、本考案の消しゴムの好ましい実施形態について、図面を参照しつつ説明する。
図１は、本考案の一実施形態に係るワッフルコーンを模した消しゴムの外観斜視図であり、組み立て状態を示している。
また、図２は、図１に示す消しゴムの各部を分解した状態の外観斜視図である。
【００１３】
これらの図に示すように、本実施形態に係る消しゴム、すなわちワッフルコーン消しゴム１は、組立及び分解が自在な複数の構成部分によって構成されており、組み立てられた状態において全体がアイスクリーム（ソフトクリーム）が盛られるとともにフルーツ（イチゴ）がトッピングされたワッフルコーンの形状となるように形成されている。
具体的には、ワッフルコーン消しゴム１は、所定の消しゴム材料で成形された、逆円錐形状のワッフルコーン生地形状に構成された容器本体部１０と、この容器本体部１０の上面に搭載されるアイスクリーム形状に構成された主トッピング部２０と、この主トッピング部２０に対して配設・嵌合する副トッピング部３０とを有している。
そして、これら容器本体部１０及び主副主トッピング部２０，３０は、分解・組立が可能であって、組み立てられた完成状態において、全体としてアイスクリーム（ソフトクリーム）が盛られたワッフルコーンの形状になるように各部が所定の形状・構造に成形加工されている。
【００１４】
まず、容器本体部１０は、ワッフル生地で形成されたワッフルコーンの容器部分を模した形状に形成されている。
具体的には、容器本体部１０は、全体に網目模様が付いたワッフル生地を逆円錐形状に巻いてワッフル生地が正面部において重ね合わされたワッフルコーンの外観を再現した形状に立体形成されている。
また、容器本体部１０は、実物のワッフルコーンとは異なり、逆円錐形状の内部は中空にはなっておらず、消しゴム材料が詰まった中実状に形成されている。
また、この中実逆円錐形状をなす容器本体部１０は、上面１１に主副主トッピング部２０，３０を搭載できるように上部が凹状に形成されており、図２に示すように、上面１１の周囲にワッフルコーンの生地を模した壁部１１ａが立ち上がるように形成されている。
【００１５】
また、この容器本体部１０の壁部１１ａには、容器本体部１０の上面１１に搭載された主トッピング部２０に嵌合する副トッピング部３０と対応する位置に、トッピング露出部１１ｂが形成してある。このトッピング露出部１１ｂは、図２に示すように、容器本体部１０の壁部１１ａの一部が他の部分より低くなるように傾斜形成されており、容器本体部１０の上面１１に主副主トッピング部２０，３０が搭載された状態で、壁部１１ａによって副トッピング部３０が隠れてしまわないようになっている。このトッピング露出部１１ｂによって、容器本体部１０の上面１１に主副主トッピング部２０，３０が搭載された状態で、副トッピング部３０が露出して外部からよく見えるようになる。
本実施形態では、ワッフルコーンを構成するワッフル生地の合わせ目部分の形状を利用してトッピング露出部１１ｂを形成している。
【００１６】
さらに、このように凹状に形成された容器本体部１０の上面１１には、ほぼ中心位置に後述する主トッピング部２０の凸部２１が嵌脱可能に嵌合する凹部１２が形成されている。これによって、容器本体部１０の上面１１と主トッピング部２０の下面とに互いに嵌脱可能に嵌合する凹凸部が備えられ、両者が分解及び組み立て可能に構成されるようになっている。
そして、この容器本体部１０は、実物のワッフルコーンの生地と同一又は類似する色彩、例えば小麦色や肌色，薄茶色等に彩色・着色されている。
【００１７】
主トッピング部２０は、容器本体部１０の上面１１に搭載されるアイスクリーム形状に形成されている。
具体的には、主トッピング部２０は、上述した容器本体部１０の上面１１に搭載・嵌合するアイスクリーム（ソフトクリーム）形状に形成されている。
図１，２に示すように、主トッピング部２０は、実物のワッフルコーンにおいてワッフルコーン生地に盛られたアイスクリーム（ソフトクリーム）の外部（ワッフルコーン上方）に露出する部分の形状を模して立体形成されている。
【００１８】
また、この主トッピング部２０の底面には、ほぼ中心位置に上述した容器本体部１０の上面１１の凹部１２に対して嵌脱可能に嵌合する凸部２１が突出形成されている。
これによって、容器本体部１０の上面１１と主トッピング部２０の下面とに互いに嵌脱可能に嵌合する凹凸部が備えられ、両者が分解及び組み立て可能に構成されるようになっている。
そして、この主トッピング部２０は、実物のワッフルコーンに盛られるアイスクリーム（ソフトクリーム）と同一又は類似する色彩、例えば白色，クリーム色，ピンク色，チョコレート色等に彩色・着色されている。
【００１９】
さらに、このアイスクリーム形状の主トッピング部２０の表面正面部分は、副トッピング部３０が配置・嵌合可能になっている。
後述するように、副トッピング部３０は、実物のワッフルコーンにおいてアイスクリーム（ソフトクリーム）の上に更にトッピングされるフルーツ形状を模して形成されている。
そこで、アイスクリーム形状の主トッピング部２０は、その正面部分にフルーツ形状の副トッピング部３０の裏面が面接触状態で配置できるように、主トッピング部２０の正面の一部が平面状に形成された平面部２０ａとなっている。
また、この主トッピング部２０の平面部２０ａには、ほぼ中心位置に後述する副トッピング部３０の凸部３１が嵌脱可能に嵌合する凹部２２が形成されている。これによって、アイスクリーム形状の主トッピング部２０とフルーツ形状の副トッピング部３０とに互いに嵌脱可能に嵌合する凹凸部が備えられ、両者が分解及び組み立て可能に構成されるようになっている。
【００２０】
副トッピング部３０は、アイスクリーム形状の主トッピング部２０の表面に配設されるフルーツ形状に形成されており、本実施形態では、副トッピング部３０はイチゴ形状に形成されている。
具体的には、副トッピング部３０は、正面側がイチゴを２個並べた形状の外観を模して立体形成されており、裏面（背面）側は、上述したアイスクリーム形状の主トッピング部２０の平面部２０ａと面接触する平面上に形成されている。
さらに、このトッピング３０の裏面側には、そのほぼ中心位置に主トッピング部２０の平面部２０ａに形成された凹部２２に嵌脱可能に嵌合する凸部３１が突出形成されている。これによって、アイスクリーム形状の主トッピング部２０とフルーツ形状の副トッピング部３０とに互いに嵌脱可能に嵌合する凹凸部が備えられ、両者が分解及び組み立て可能に構成されるようになっている。
また、副トッピング部３０は、上述した容器本体部１０のトッピング露出部１１ｂによって、容器本体部１０の上面１１に主副主トッピング部２０，３０が搭載された状態で、副トッピング部３０が容器本体部１０の壁部１１ａから露出して、副トッピング部３０が模したフルーツ（イチゴ）形状が外部からよく見えるようになる。
【００２１】
そして、この主トッピング部２０は、実物のワッフルコーンのアイスクリーム（ソフトクリーム）にトッピングされるフルーツ（イチゴ）と同一又は類似する色彩、例えば赤色，ピンク色，黄色等に彩色・着色されている。
以上のような構成の主トッピング部２０，３０を備えることで、アイスクリーム形状の主トッピング部２０の平面部２０ａに配設された副トッピング部３０は、アイスクリーム（ソフトクリーム）の上に載せられて一部がアイスクリームに埋まり一部がアイスクリーム表面に露出しているイチゴの形状が再現されるようになる。
【００２２】
ここで、以上のような本実施形態のワッフルコーン消しゴム１を構成する容器本体部１０、主トッピング部２０，３０の各部は、射出成形加工により形成することができる。
具体的には、容器本体部１０、主トッピング部２０，３０の各部は、それぞれ、溶融された消しゴム材料が、射出成形機に備えられる専用の金型に射出・注入されて成形加工される。これによって、容器本体部１０、主トッピング部２０，３０は、それぞれが、所定の形状・大きさ・色彩に形成される。
金型に射出・注入される消しゴム材料としては、例えば熱可塑性エラストマー樹脂を用いることができ、ベース材料となる熱可塑性エラストマー樹脂に、炭酸カルシウム、脂肪酸、ナフテンオイル等が混合されて消しゴム材料となる。
【００２３】
さらに、消しゴム材料には所定色の粉末顔料が混合されて、所望の色に彩色された消しゴム材料が得られる。本実施形態では、容器本体部１０については、ワッフルコーンの生地部分の色彩（例えば小麦色，肌色，薄茶色等）に彩色された消しゴム材料、主トッピング部２０については、ワッフルコーンに盛られるアイスクリーム（ソフトクリーム）の色彩（例えば白色，ピンク色，クリーム色，チョコレート色等）に彩色された消しゴム材料が使用される。また、副トッピング部３０については、ワッフルコーンのアイスクリーム（ソフトクリーム）の上にトッピングされるフルーツ（イチゴ）の色彩（例えば赤色，ピンク色，黄色等）に彩色された消しゴム材料が使用される。
【００２４】
以上のような構成からなる本実施形態に係るワッフルコーン消しゴム１によれば、アイスクリームが盛られたワッフルコーン形状を模した分解・組み立てが自在な複数の構成部分によって、広い部分と細かい部分のいずれに対する消去が可能となり、例えばワッフルコーンの生地を構成する容器本体部１０の上方幅広部分で広い範囲の消去を行い、細かい部分は容器本体部１０のワッフルコーンの逆円錐形の先端部分や、主トッピング部２０のアイスクリーム先端部分、分解した容器本体部１０や主トッピング部２０，３０の縁部等を利用して消去を行うことができる。これによって、全ての構成部分が消しゴムでありながら、また、使用が繰り返された後でも、広い範囲と細かい範囲の消去の双方に対応できる利便性の高い消しゴムを提供することができる。
そして、本実施形態のワッフルコーン消しゴム１によれば、消しゴム全体の形状がアイスクリーム（ソフトクリーム）が盛られたワッフルコーンを模した形状となっているので、従来の単なる直方体・長方体のみからなる消しゴムと比較して、デザイン性に優れた面白みのある消しゴムを提供することができる。
【００２５】
以上、本考案の食品形状をなす消しゴムの好ましい実施形態について説明したが、本考案に係る消しゴムは上述した実施形態にのみ限定されるものではなく、本考案の範囲で種々の変更実施が可能であることは言うまでもない。
例えば、上述した実施形態では、消しゴムに模される容器本体部の形状として、ワッフル生地を巻いて逆円錐形状としたワッフルコーン形状を採用しているが、これ以外の容器形状であっても良い。アイスクリーム（ソフトクリーム）を盛るための容器には様々なものがあり、そのようなアイスクリーム用の容器であれば、どのような形状・形態のものであっても、本考案に係る消しゴムとしてその形状・形態を模して形成することができる。具体的には、ワッフルコーン以外にも、一般的なコーン形状の容器（アイスクリームコーン）やカップ形状の容器とすることもできる。
また、アイスクリーム以外の食品であっても、容器本体部にトッピング部（主トッピング部・副トッピング部）が搭載される各種食品の形状を模すこともできる。
【００２６】
また、上述した実施形態では、容器に盛られるアイスクリームを模した主トッピング部２０の形状として、螺旋状に盛られるソフトクリームの外観を模したものを例示したが、この主トッピング部２０の形状は、螺旋状のソフトクリームを模したものに限定されるものではなく、ワッフルコーン等の容器に盛られるアイスクリームの外観を模した形状であれば、どのような形状・形態であっても良い。例えば、球状・半球状のアイスクリームの形状や、更に複数の球状のアイスクリームが複数重ね合わされた形状を模して主トッピング部２０として形成することもできる。
【００２７】
また、上述した実施形態では、アイスクリームにトッピングされる副トッピング部３０の形状としてイチゴの外観を模したものを例示したが、この副トッピング部３０の形状も、イチゴを模したものに限定されず、ワッフルコーンのアイスクリームとともにトッピングされる様々なトッピングの形状・形態を模すことができる。例えば、フルーツであれば上述したイチゴ以外に、バナナ，メロン，オレンジ，キウイフルーツ等がある。また、フルーツ以外のトッピングとしては、クッキーやウエハース、スティック菓子等がある。
【産業上の利用可能性】
【００２８】
本考案は、分解・組み立てが自在な複数の構成部分からなり、広い部分と細かい部分のいずれに対する消去をも可能とするとともに、組み立てられた状態においてアイスクリーム（ソフトクリーム）が盛られたワッフルコーン形状をなす消しゴムに好適に利用することができる。
【符号の説明】
【００２９】
１０  容器本体部
１１  上面部
１２  凹部
２０  主トッピング部
２１  凸部
２２  凹部
３０  副トッピング部
３１  凸部
【図１】
0003166578.tif 000003
【図２】
0003166578.tif 000004